【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
複数のポンプと、
対応するポンプの回転速度を可変制御する複数のインバータと、
前記複数のインバータを制御する、第１の制御基板および第２の制御基板を含む複数の制御基板とを備え、
前記第１の制御基板に異常が発生した場合に、前記第２の制御基板が前記第１の制御基板をバックアップすることで運転を継続することができる給水装置であって、
前記第１の制御基板から前記複数のインバータを経て前記第２の制御基板までの間を、通信線により直列に接続し、
前記通信線上に、通信をＯＮ／ＯＦＦするスイッチを設けたことを特徴とする給水装置。
【請求項２】
前記第１の制御基板に発生する異常は、前記第１の制御基板に接続されている機器に異常が発生した場合を含むことを特徴とする請求項１記載の給水装置。
【請求項３】
前記第１の制御基板または前記第２の制御基板に、前記スイッチをＯＮ／ＯＦＦするための信号を出力する出力手段を設けたことを特徴とする請求項１または２記載の給水装置。
【請求項４】
前記第１の制御基板及び／または前記第２の制御基板から最初のインバータに接続される通信線上に前記スイッチを設けたことを特徴とする請求項１または２に記載の給水装置。
【請求項５】
前記第１の制御基板の異常により前記スイッチをＯＦＦに切り替えた後、前記第１の制御基板を再起動させるために、現在運転中の第２の制御基板の通信を止めて、前記スイッチをＯＮに戻す機能を制御基板に持たせたことを特徴とする請求項３または４記載の給水装置。
【請求項６】
前記第１の制御基板と前記第２の制御基板のそれぞれに電源を供給する電源系統に電源スイッチを設けたことを特徴とする請求項１または２記載の給水装置。
【請求項７】
前記電源スイッチは前記制御基板内に設けられていることを特徴とする請求項６記載の給水装置。
【請求項８】
前記第１の制御基板と前記第２の制御基板には、常に電源が投入されていることを特徴とする請求項１または２記載の給水装置。
【請求項９】
前記第１の制御基板と前記第２の制御基板との間を通信線で接続し、制御基板が正常か否かを監視する監視手段を設けたことを特徴とする請求項１または２記載の給水装置。
【請求項１０】
前記第１の制御基板と前記第２の制御基板との間を通信線で接続し、制御基板と前記インバータとの間が正常に通信されているか否かを監視する監視手段を設けたことを特徴とする請求項１または２記載の給水装置。
【請求項１１】
前記少なくとも１つの制御基板と前記複数のインバータとの間をアナログ信号または接点信号を送る信号線で接続したことを特徴とする請求項１または２記載の給水装置。
【請求項１２】
前記第１の制御基板と前記第２の制御基板に、それぞれ１系統以上の圧力検知部を設けたことを特徴とする請求項１または２記載の給水装置。
【請求項１３】
前記第１の制御基板と前記第２の制御基板の前記圧力検知部のうち、いずれか一方に圧力センサを設け、他方に圧力スイッチを設けたことを特徴とする請求項１２記載の給水装置。
【請求項１４】
前記第１の制御基板と前記第２の制御基板のそれぞれに前記圧力検知部から入力した検出値を比較をして、異なった場合には、前記圧力検知部の異常と判断する判断手段を設けたことを特徴とする請求項１３記載の給水装置。
【請求項１５】
前記第１の制御基板と前記第２の制御基板のそれぞれに電源入力部を持たせ、前記各電源入力部には、対応する各電源部を接続するとともに他方の電源部を接続可能とすることを特徴とする請求項１または２記載の給水装置。
【請求項１６】
前記第１の制御基板と前記第２の制御基板のそれぞれに前記電源部を設けたことを特徴とする請求項１５記載の給水装置。
【請求項１７】
前記複数の制御基板にそれぞれ接続され、前記給水装置の操作および制御のための各種設定を行う複数の操作表示部をさらに備え、
前記操作表示部は、前記給水装置の運転状況を表示する表示部を有していることを特徴とする請求項１または２記載の給水装置。
【請求項１８】
複数のポンプと、
対応するポンプの回転速度を可変制御する複数のインバータと、
前記複数のインバータを制御する、第１の制御基板および第２の制御基板を含む複数の制御基板とを備え、
第１の制御基板に異常が発生した場合に、第２の制御基板が前記第１の制御基板をバックアップすることで運転を継続することができる給水装置であって、
前記複数のインバータに、それぞれ２つ以上の異なる通信ポートを設け、
前記第１の制御基板と前記第２の制御基板から、それぞれ異なる通信線により直列に前記複数のインバータを接続したことを特徴とする給水装置。
【請求項１９】
前記第１の制御基板に発生する異常は、前記第１の制御基板に接続されている機器に異常が発生した場合を含むことを特徴とする請求項１８記載の給水装置。
【請求項２０】
前記複数の制御基板にそれぞれ２つ以上の異なる通信ポートを設け、前記第１の制御基板、前記複数のインバータ及び前記第２の制御基板を複数の通信線によりそれぞれ直列に接続したことを特徴とする請求項１８または１９記載の給水装置。
【請求項２１】
前記第１の制御基板と前記第２の制御基板から、それぞれ異なる通信線が直列に最後のインバータまで延びていることを特徴とする請求項１８または１９記載の給水装置。
【請求項２２】
前記少なくとも１つの制御基板と前記複数のインバータとの間をアナログ信号または接点信号を送る信号線で接続したことを特徴とする請求項１８または１９記載の給水装置。
【請求項２３】
前記第１の制御基板または前記第２の制御基板と前記複数のインバータを接続する通信線上に、通信をＯＮ／ＯＦＦするスイッチを設けたことを特徴とする請求項１８または１９記載の給水装置。
【請求項２４】
前記第１の制御基板及び／または前記第２の制御基板から最初のインバータに接続される通信線上に前記スイッチを設けたことを特徴とする請求項２３記載の給水装置。
【請求項２５】
前記第１の制御基板と前記第２の制御基板に、それぞれ１系統以上の圧力検知部を設けたことを特徴とする請求項１８または１９記載の給水装置。
【請求項２６】
前記第１の制御基板と前記第２の制御基板の圧力検知部のうち、いずれか一方に圧力センサを設け、他方に圧力スイッチを設けたことを特徴とする請求項２５記載の給水装置。
【請求項２７】
前記第１の制御基板と前記第２の制御基板のそれぞれに前記圧力検知部から入力した検出値を比較をして、異なった場合には、前記圧力検知部の異常と判断する判断手段を設けたことを特徴とする請求項２６記載の給水装置。
【請求項２８】
前記第１の制御基板と前記第２の制御基板のそれぞれに電源入力部を持たせ、前記各電源入力部には、対応する各電源部を接続するとともに他方の電源部も接続可能とすることを特徴とする請求項１８または１９記載の給水装置。
【請求項２９】
前記第１の制御基板と前記第２の制御基板のそれぞれに前記電源部を設けたことを特徴とする請求項２８記載の給水装置。
【請求項３０】
前記複数の制御基板にそれぞれ接続され、前記給水装置の操作および制御のための各種設定を行う複数の操作表示部をさらに備え、
前記操作表示部は、前記給水装置の運転状況を表示する表示部を有していることを特徴とする請求項１８または１９記載の給水装置。
【請求項３１】
複数のポンプと、
対応するポンプの回転速度を可変制御する複数のインバータと、
前記複数のインバータを制御する、第１の制御基板および第２の制御基板を含む複数の制御基板とを備え、
第１の制御基板に異常が発生した場合に、第２の制御基板が前記第１の制御基板をバックアップすることで運転を継続することができる給水装置であって、
前記第１の制御基板と前記第２の制御基板のそれぞれに繋がる電源系統、信号系統、制御系統のうちの少なくとも一つにおいて、前記第２の制御基板に繋がる系統の外的要因に対する耐性のレベルを、前記第１の制御基板に繋がる系統の外的要因に対する耐性のレベルより高くすることを特徴とする給水装置。
【請求項３２】
前記第１の制御基板に発生する異常は、前記第１の制御基板に接続されている機器に異常が発生した場合を含むことを特徴とする請求項３１記載の給水装置。
【請求項３３】
前記外的要因に対する耐性のレベルは、サージ及びノイズのうち少なくとも一つの耐量レベルであることを特徴とする請求項３１または３２記載の給水装置。
【請求項３４】
前記外的要因に対する耐性のレベルは、圧力検知部の耐水圧性であることを特徴とする請求項３１または３２記載の給水装置。
【請求項３５】
前記第１の制御基板と前記第２の制御基板のそれぞれに繋がる複数の圧力検知部を設け、同一の制御基板内の前記複数の圧力検知部同士で、耐水圧性を異ならせることを特徴とする請求項３４記載の給水装置。
【請求項３６】
前記第１の制御基板と前記第２の制御基板に、それぞれ１系統以上の圧力検知部を設けたことを特徴とする請求項３１または３２記載の給水装置。
【請求項３７】
前記第１の制御基板と前記第２の制御基板の圧力検知部のうち、いずれか一方に圧力センサを設け、他方に圧力スイッチを設けたことを特徴とする請求項３６記載の給水装置。
【請求項３８】
前記第１の制御基板と前記第２の制御基板のそれぞれに前記圧力検知部から入力した検出値を比較をして、異なった場合には、前記圧力検知部の異常と判断する判断手段を設けたことを特徴とする請求項３７記載の給水装置。
【請求項３９】
前記第１の制御基板と前記第２の制御基板のそれぞれに電源入力部を持たせ、前記各電源入力部には、対応する各電源部を接続するとともに他方の電源部を接続可能とすることを特徴とする請求項３１または３２記載の給水装置。
【請求項４０】
前記第１の制御基板と前記第２の制御基板のそれぞれに前記電源部を設けたことを特徴とする請求項３９記載の給水装置。